(57)【特許請求の範囲】
【請求項１】
連続した第１の環状壁部と、この第１の環状壁部の内側に存在し、下端側が容器本体の一部と嵌合する第２の環状壁部とを具備してなる容器の肩カバーであって、前記第２の環状壁部には切欠きが形成されてなるとともに、前記第１の環状壁部と第２の環状壁部とが、この第１の環状壁部及び第２の環状壁部の間にあって、これらの両方から切り離し可能な略Ｃ字状の帯部と複数の枝体によって連結され、帯部の切り離しにより、第１の環状壁部、帯部、及び第２の環状壁部からなる部分の三体に分離されることを特徴とする容器の肩カバー。
【請求項２】
連続した第１の環状壁部と、この第１の環状壁部の内側に存在し、下端側が容器本体の一部と嵌合する第２の環状壁部と、この第２の環状壁部の内側に存在し、下端側が容器本体の一部に圧着する第３の環状壁部とを具備し、第２の環状壁部と第３の環状壁部とが環状の天面部によって繋がれてなる容器の肩カバーであって、前記第２の環状壁部には切欠きが形成されてなるとともに、前記第１の環状壁部と第２の環状壁部とが、この第１の環状壁部及び第２の環状壁部の間にあって、これらの両方から切り離し可能な略Ｃ字状の帯部と複数の枝体によって連結され、帯部の切り離しにより、第１の環状壁部、帯部、及び第２の環状壁部と第３の環状壁部と天面からなる部分の三体に分離されることを特徴とする容器の肩カバー。
【請求項３】
連続した第１の環状壁部と、この第１の環状壁部の内側に存在し、下端側が容器本体の
一部と嵌合する第２の環状壁部と、この第２の環状壁部の内側に存在し、下端側が容器本体の一部に圧着する第３の環状壁部とを具備し、第２の環状壁部と第３の環状壁部とが環状の天面部によって繋がれてなる容器の肩カバーであって、前記第２の環状壁部及び第３の環状壁部において互いに対向する位置には、それぞれ切欠きが形成されてなるとともに、前記第２の環状壁部と第３の環状壁部とをつなぐ環状の天面部において、前記第２の環状壁部及び第３の環状壁部の切欠きに挟まれた位置には、切欠きが形成されてなり、前記第１の環状壁部と第２の環状壁部とが、この第１の環状壁部及び第２の環状壁部の間にあって、これらの両方から切り離し可能な略Ｃ字状の帯部と複数の枝体によって連結され、帯部の切り離しにより、第１の環状壁部、帯部、及び第２の環状壁部と第３の環状壁部と天面部とからなる部分の三体に分離されることを特徴とする容器の肩カバー。
【請求項４】
帯部は略Ｃ字状のものであって、一方側の端部に摘みを立設させたことを特徴とする請求項１〜請求項３いずれかに記載の容器の肩カバー。
【請求項５】
第２の環状壁部及び／または第３の環状壁部の切欠きは、複数の位置に形成されてなることを特徴とする請求項２〜請求項４いずれかに記載の容器の肩カバー。
【請求項６】
上記請求項１〜請求項５いずれかに記載の肩カバーが、その第２の環状壁部を容器本体の一部に嵌合させることで前記容器本体に取り付けられてなることを特徴とする容器。
【発明の詳細な説明】
【０００１】
【発明の属する技術分野】
本発明は、例えばエアゾール缶などに取り付けられる肩カバーに関する。
【０００２】
【発明が解決しようとする課題】
ＬＰガスなどの圧力で内部に充填された剤を噴射させるよう構成されたエアゾール缶には、樹脂製の肩カバーが取り付けられることが多い。この肩カバーは、押しボタンを兼ねたノズルの上下動をガイドするほか、製品の外観を向上させるといった装飾的な役割を果している。
【０００３】
ところで、現在、空になったエアゾール缶は、そのまま不燃物として捨てられている。しかし、今後、ゴミの分別回収は更に厳しく実施されるようになる。したがって、エアゾール缶を捨てる際には、それを樹脂部分と金属部分とに分離することが、つまり樹脂製の肩カバーを金属製のエアゾール缶から取り外した上で廃棄することが望まれる。
【０００４】
ところが、肩カバーは、エアゾール缶に対して強固に結合されているので、その取り外しには多大な労力を必要とする。更に詳しく言うと、肩カバーは、その環状壁部の内周面に周方向に沿って形成した凸部をエアゾール缶上端のリムに掛止させることで、容易には抜け取れないようエアゾール缶に固定されている。このため、肩カバーを素手でエアゾール缶から取り外すことは不可能であり、器具を用いた手間の掛かる処理が必要となる。
【０００５】
したがって、本発明が解決しようとする課題は、樹脂部分と金属部分とに簡単に分解できる容器を提供することである。特に、容器本体からの取り外しが容易な容器の肩カバーを提供することである。
【０００６】
【課題を解決するための手段】
上記の課題は、連続した第１の環状壁部と、この第１の環状壁部の内側に存在し、下端側が容器本体の一部と嵌合する第２の環状壁部とを具備してなる容器の肩カバーであって、前記第２の環状壁部には切欠きが形成されてなるとともに、前記第１の環状壁部と第２の環状壁部とが、この第１の環状壁部及び第２の環状壁部の間にあって、これらの両方から切り離し可能な略Ｃ字状の帯部と複数の枝体によって連結され、帯部の切り離しにより、第１の環状壁部、帯部、及び第２の環状壁部からなる部分の三体に分離されることを特徴とする容器の肩カバーによって解決される。
【０００７】
特に、連続した第１の環状壁部と、この第１の環状壁部の内側に存在し、下端側が容器本体の一部と嵌合する第２の環状壁部と、この第２の環状壁部の内側に存在し、下端側が容器本体の一部に圧着する第３の環状壁部とを具備し、第２の環状壁部と第３の環状壁部とが環状の天面部によって繋がれてなる容器の肩カバーであって、前記第２の環状壁部には切欠きが形成されてなるとともに、前記第１の環状壁部と第２の環状壁部とが、この第１の環状壁部及び第２の環状壁部の間にあって、これらの両方から切り離し可能な略Ｃ字状の帯部によって連結され、帯部の切り離しにより、第１の環状壁部、帯部、及び第２の環状壁部と第３の環状壁部と天面からなる部分の三体に分離されることを特徴とする容器の肩カバーによって解決される。
【０００８】
また、連続した第１の環状壁部と、この第１の環状壁部の内側に存在し、下端側が容器本体の一部と嵌合する第２の環状壁部と、この第２の環状壁部の内側に存在し、下端側が容器本体の一部に圧着する第３の環状壁部とを具備し、第２の環状壁部と第３の環状壁部とが環状の天面部によって繋がれてなる容器の肩カバーであって、前記第２の環状壁部及び第３の環状壁部において互いに対向する位置には、それぞれ切欠きが形成されてなるとともに、前記第２の環状壁部と第３の環状壁部とをつなぐ環状の天面部において、前記第２の環状壁部及び第３の環状壁部の切欠きに挟まれた位置には、切欠きが形成されてなり、前記第１の環状壁部と第２の環状壁部とが、この第１の環状壁部及び第２の環状壁部の間にあって、これらの両方から切り離し可能な略Ｃ字状の帯部と複数の枝体によって連結され、帯部の切り離しにより、第１の環状壁部、帯部、及び第２の環状壁部と第３の環状壁部と天面部とからなる部分の三体に分離されることを特徴とする容器の肩カバーによって解決される。
【０００９】
更には、上記の肩カバーが、その第２の環状壁部を容器本体の一部に嵌合させることで前記容器本体に取り付けられてなることを特徴とする容器によって解決される。
なお、上記肩カバーにあっては、第１の環状壁部及び第２の環状壁部と帯部とを、所定の間隔で両者の間に設けられた複数の枝体によって連結した構造とすることができる。この場合、枝体の径は、第１、第２の環状壁部や天面部の肉厚よりも十分に小さく設定される。言い換えれば、枝体はある一定以上の力を加えることで容易に破断するよう構成される。
【００１０】
また、帯部は略Ｃ字状のものであって、一方側の端部に摘みを立設させてなることが好ましい。これは帯部を肩カバー本体部分から切り離す際に、その端部に力を掛け易くするためであり、このように構成することで、肩カバーを容器本体から分離させる際の取り扱いが一層容易なものとなる。
更に、第２の環状壁部及び／または第３の環状壁部の切欠きは、複数の位置に形成されてなることが好ましい。このように構成すれば、帯部を切り離すことで第２の環状壁部（または第２の環状壁部と第３の環状壁部との連結体）が二つ以上に分割される。よって、力を加えて変形させなくとも、第２の環状壁部と容器本体との嵌合状態を簡単に解くことができる。
【００１１】
本発明の肩カバーは、上記のごとく構成されているので、それを容器本体から取り外す際には、第１の環状壁部と第２の環状壁部との間にあって両者を連結している帯部を切り離せばよい。こうすることで、第１の環状壁部が容器本体から外れるが、この第１の環状壁部は切欠きが形成された第２の環状壁部に剛性を付与する役割を果している。したがって、第１の環状壁部を取り除いた状態では、第２の環状壁部を容易に変形させることが可能となる。つまり、第２の環状壁部と容器本体との嵌合状態を小さな力で解除でき、肩カバーを容器本体から素手で簡単に取り外すことが可能となる。ゆえに、器具を用いた手間の掛かる作業は不要である。そして、この肩カバーが容器本体に取り付けられてなる容器は、樹脂部分と金属部分とに簡単に分解できるから、分別回収を一層効果的に行え、リサイクル効率の向上が図れる。
【００１２】
【発明の実施の形態】
以下で本発明の第１実施形態として説明する容器の肩カバーは、連続した第１の環状壁部と、この第１の環状壁部の内側に存在し、下端側が容器本体の一部と嵌合する第２の環状壁部と、この第２の環状壁部の内側に存在し、下端側が容器本体の一部に圧着する第３の環状壁部とを具備してなり、前記第２の環状壁部及び第３の環状壁部において互いに対向する位置には、それぞれ切欠きが形成されてなるとともに、前記第２の環状壁部と第３の環状壁部とをつなぐ環状の天面部において、前記第２の環状壁部及び第３の環状壁部の切欠きに挟まれた位置にも切欠きが形成されてなり、前記第１の環状壁部と第２の環状壁部とが、この第１の環状壁部及び第２の環状壁部の両方から切り離し可能な帯部によって連結されてなるものである。特に、第１の環状壁部及び第２の環状壁部と、帯部とは、所定の間隔で両者の間に設けられた複数の枝体によって連結されている。更に、帯部は略Ｃ字状のものであって、一方側の端部に摘みが立設させられている。
【００１３】
また、以下で本発明の一実施形態として説明する容器は、上記の肩カバーが、その第２の環状壁部を容器本体の一部、例えば上端部に嵌合させることで前記容器本体に取り付けられてなるものである。
図１〜図１０を用いて、上記本発明の第１実施形態を更に詳しく説明する。なお、図１は容器の斜視立体図、図２は容器の要部断面図、図３は肩カバーの斜視立体図、図４は一部破断状態での肩カバーの正面図、図５は肩カバーの底面図、図６は肩カバーの一部分を示す平面図、図７は帯部を肩カバー本体部分から切り離す途中の状態を示す斜視立体図、図８は第１の環状壁部を取り除いた状態を示す斜視立体図、図９は肩カバーの残りの部分を取り外す際に第２の環状壁部に加えられる力の向きを示す平面図、図１０は肩カバーを容器本体から完全に取り外した状態を示す斜視立体図である。
【００１４】
本発明に係る容器は、図１に示すごとく、金属製の容器本体（エアゾール缶）１と、この容器本体１の上端部に取り付けられた樹脂（特に、硬質あるいは比較的硬質な樹脂）製の肩カバー２とを備える。
肩カバー２は一体成形によって得られたもので、後述するごとく、容器本体１から簡単に取り外せるよう三体に分解可能となっている。
【００１５】
また、肩カバー２は、押しボタンを兼ねたノズル３の上下動をガイドする機能を発揮するほか、製品の外観を良好なものとする役割を担っている。
これに加えて、肩カバー２は、キャップ４を容器本体１に対して取り外し可能に固定するための台座としても機能する。図１では詳しく図示していないが、肩カバー２の台座としての機能は、キャップ４の内周面下端に形成された環状の凸部（図示せず）が、肩カバー外周面の環状凹部５と嵌合することで発揮される。これによって、キャップ４は、容器を逆さにした程度では外れないよう肩カバー２に固定される。
【００１６】
容器本体１には弁が内蔵されており、ノズル３を押し下げることで、この弁が開き、容器本体１の内部に充填された剤がノズル３の内部に設けられた剤誘導路に送り込まれる。そして、ノズル３の開口３ａから泡状あるいは霧状のものとなって吐出する。
続いて、肩カバー２の構造を詳しく説明する。
【００１７】
肩カバー２は、図２に示すごとく、三重の環状壁部を有している。すなわち、最も外側にあって、肩カバー２の外周面を形成しているのが第１の環状壁部６であり、その内側には第２の環状壁部７が存在する。更に、この第２の環状壁部７の内側には、第３の環状壁部８が設けられている。
これら三つの環状壁部のうち、第１の環状壁部６は、切欠きが形成されていない連続したものであって、その下端側は、容器本体１の形状に合わせるためにテーパー状になっている。
【００１８】
第２の環状壁部７の内周面下端には、周方向に沿った凸部９を設けている。この凸部９は容器本体１の上端に存在するリム１０を掛止しており、これによって第２の環状壁部７は容器本体１の上端部に嵌合した状態となっている。なお、凸部９は連続したものであってもよいが、本実施形態では不連続体とした。
第３の環状壁部８は第２の環状壁部７よりも高さ寸法が小さく、その下端部はリム１０の縁部に圧着している。このため、肩カバー２のガタつきが起きない。
【００１９】
第１の環状壁部６と第２の環状壁部７とは、図３に示すごとく、その両方から切り離し可能な帯部１１によって連結されている。帯部１１は略Ｃ字状の不連続体であって、一方側の端部には摘み１２が立設させられている。なお、帯部１１と、第１の環状壁部６及び第２の環状壁部７との連結部分の構造については、後に詳述する。
【００２０】
第２の環状壁部７には、図４から判るように、切欠き１３が形成されている。また、第３の環状壁部８において、第２の環状壁部７の切欠き１３に対向する位置にも、同図から判るように、切欠き１４が形成されている。更に、第２の環状壁部７と第３の環状壁部８とをつなぐ環状の天面部１５において、切欠き１３，１４に挟まれた位置には、切欠き１６が形成されている。つまり、第２の環状壁部７及び第３の環状壁部８と、天面部１５とからなる部分（以下、嵌合部分と呼ぶ）は、完全な不連続体であって、第１の環状壁部６を取り除いた状態では、ある一定以上の力を加えることで、切欠き部分が開拡するよう容易に変形させることができる。但し、この嵌合部分は、第１の環状壁部６が周囲に存在する状態では、この第１の環状壁部６によって必要な剛性が付与されている。
【００２１】
第２の環状壁部７と第３の環状壁部８との間には、図５から判るように、ほぼ６０°間隔で計６個のリブ１７が設けられている。肩カバー２の中心から放射状に、すなわち半径方向に延びるこれらのリブ１７は、第２の環状壁部７及び第３の環状壁部８と一体のものであって、肩カバー２の強度を高める役割を果たす。
第１の環状壁部６及び第２の環状壁部７と、帯部１１との連結部分を図６に示す。同図から判るように、第１の環状壁部６と帯部１１との間には複数の枝体１８ａが設けられている。また、第２の環状壁部７と帯部１１との間にも複数の枝体１８ｂが設けられている。すなわち、第１の環状壁部６及び第２の環状壁部７と、帯部１１とは、所定の間隔で両者の間に設けられた複数の枝体１８ａ，１８ｂによって一体的に連結されている。なお、枝体１８ａ，１８ｂの径は、第１の環状壁部６及び第２の環状壁部７や天面部１５の肉厚よりも十分に小さい。したがって、ある一定以上の力を加えることで容易に破断する。枝体１８ａ，１８ｂは、その断面が円形でない場合も同様に破断しやすく構成される。
【００２２】
上記構成の肩カバー２は、次のような手順で容器本体１から取り外される。
まず、肩カバー２の取り外しに先行して、ノズル３を容器本体１から分離させる。これはノズル３の頭部を指で摘んで上方に引っ張るだけでよく、この操作によってノズル３は簡単に容器本体１から外れる。
ノズル３を容器本体１から取り外したならば、続いて帯部１１を肩カバー本体部分から切り離す。この作業は、図７に示すように、帯部１１の摘み１２を用いて行うことができ、すなわち摘み１２を上方に引っ張ることで、帯部１１は肩カバー本体部分から切り離される。そして、これによって、肩カバー２は、第１の環状壁部６、帯部１１、そして第２の環状壁部７及び第３の環状壁部８並びに天面部１５からなる部分（嵌合部分）の三体に分割される。
【００２３】
第１の環状壁部６及び帯部１１を取り除いて、図８に示すごとく、嵌合部分だけが残った状態となったならば、続いて、この嵌合部分を容器本体１から分離させるのであるが、これには、嵌合部分の二つの端部に、図９に示すごとく、互いに逆向きの力を加えればよい。こうすることで、嵌合部分は、その切欠きが開拡するように変形し、第２の環状壁部７と容器本体１のリブ１０との嵌合状態が解かれる。その結果、図１０に示すごとく、嵌合部分を容器本体１から分離させることができる。
【００２４】
このように本実施形態の肩カバーは、器具を用いずに、素手で簡単に容器本体から取り外すことが可能であり、容器を樹脂部分と金属部分とに容易に分解できる。したがって、分別回収を一層効果的に行え、リサイクル効率が向上する。
続いて、本発明の第２実施形態を説明する。
この第２実施形態の肩カバーも、第１実施形態と同様、連続した第１の環状壁部と、この第１の環状壁部の内側に存在し、下端側が容器本体の一部と嵌合する第２の環状壁部と、この第２の環状壁部の内側に存在し、下端側が容器本体の一部に圧着する第３の環状壁部とを具備してなり、前記第２の環状壁部及び第３の環状壁部において互いに対向する位置には、それぞれ切欠きが形成されてなるとともに、前記第２の環状壁部と第３の環状壁部とをつなぐ環状の天面部において前記第２の環状壁部及び第３の環状壁部の切欠きに挟まれた位置にも、切欠きが形成されてなり、更に前記第１の環状壁部と第２の環状壁部とが、この第１の環状壁部及び第２の環状壁部の両方から切り離し可能な帯部によって連結されてなるものである。但し、第２の環状壁部及び第３の環状壁部の切欠きは、複数の位置、例えば２か所に形成されていることを特徴とする。
【００２５】
以下、図１１を用い、第２実施形態の肩カバーの構造を更に詳しく説明する。なお、本実施形態の肩カバーでも、その基本構造は、要部を除いて第１実施形態とほぼ同じであり、また、第１実施形態と同様にして容器本体に取り付けられている。したがって、こうした点についての説明は省略し、以下では、肩カバーの底面を示す図１１のみを用いて、第１実施形態との相違点を中心に説明する。
【００２６】
第２実施形態の肩カバーも、第１実施形態のものと同様、三重の環状壁部を有する。すなわち、最も外側に存在する第１の環状壁部２１と、この第１の環状壁部２１の内側にあって、容器本体のリムと嵌合する第２の環状壁部２２と、この第２の環状壁部２２の内側にあって、リムの縁部に圧着する第３の環状壁部２３とを備える。
【００２７】
第２の環状壁部２２と第３の環状壁部２３との間には、ほぼ６０°間隔で計６個のリブ２４が設けられている。
第１の環状壁部２１と第２の環状壁部２２とは、その両方から切り離し可能な帯部２５によって連結されている。この連結部分の構造は第１実施形態と同じであり、すなわち第１の環状壁部２１と帯部２５との間、及び第２の環状壁部２２と帯部２５との間には、ある一定以上の力を加えることで容易に破断する枝体が複数介在させられている。
【００２８】
第２の環状壁部２２には、切欠き２６が２か所に形成されている。また、第３の環状壁部２３おいて、第２の環状壁部２２の切欠き２６に対向する位置にも、切欠き２７が形成されている。更に、第２の環状壁部２２と第３の環状壁部２３とをつなぐ環状の天面部２８において、切欠き２６，２７に挟まれた位置には、切欠き２９が形成されている。つまり、第２の環状壁部２２及び第３の環状壁部２３と、天面部２８とからなる部分は、第１の環状壁部２１を取り除くことで、二つに分割できるようになっている。
【００２９】
したがって、本実施形態の肩カバーでは、力を加えて変形させなくとも、第２の環状壁部２２と容器本体との嵌合状態を簡単に解くことができ、容器を分解する際の取り扱いが一層容易である。
【００３０】
【発明の効果】
本発明によれば、肩カバーを容器本体から容易に取り外すことができ、容器を簡単に樹脂部分と金属部分とに分解できる。
【図面の簡単な説明】
【図１】本発明に係る容器の斜視立体図
【図２】本発明に係る容器の要部断面図
【図３】本発明に係る肩カバー（第１実施形態）の斜視立体図
【図４】一部破断状態での肩カバー（第１実施形態）の正面図
【図５】肩カバー（第１実施形態）の底面図
【図６】肩カバー（第１実施形態）の一部分を示す平面図
【図７】帯部を肩カバー本体部分から切り離す途中の状態を示す斜視立体図
【図８】第１の環状壁部を取り除いた状態を示す斜視立体図
【図９】肩カバーの残りの部分を取り外す際に第２の環状壁部に加えられる力の向きを示す平面図
【図１０】肩カバーを容器本体から完全に取り外した状態を示す斜視立体図
【図１１】肩カバー（第２実施形態）の底面図
【符号の説明】
１                    容器本体
２                    肩カバー
６                    第１の環状壁部
７                    第２の環状壁部
８                    第３の環状壁部
１１                  帯部
１２                  摘み
１３，１４，１６      切欠き
１５                  天面部
１７                  リブ
１８ａ，１８ｂ        枝体
【図１】
0003805041.tif 000002
【図２】
0003805041.tif 000003
【図３】
0003805041.tif 000004
【図４】
0003805041.tif 000005
【図５】
0003805041.tif 000006
【図６】
0003805041.tif 000007
【図７】
0003805041.tif 000008
【図８】
0003805041.tif 000009
【図９】
0003805041.tif 000010
【図１０】
0003805041.tif 000011
【図１１】
0003805041.tif 000012